(57)【要約】  本発明に係る無線通信システムは、移動局、及び、前記移動局と無線通信する基地局を有する無線通信システムであって、複数の移動局に同じグループ識別子を付与する識別子付与手段と、グループ識別子を指定して、無線接続の開放を指示する開放指示手段と、開放指示手段によって指定された前記グループ識別子を有する移動局について、無線接続の開放処理を行なう開放手段と、を備えたことを特徴とする。これにより、無線リソースを効率的に利用しつつ、移動局に対する無線接続開放処理を行なうことができる。
2012053154.tif 000002
【特許請求の範囲】
【請求項１】
移動局、及び、前記移動局と無線通信する基地局を有する無線通信システムであって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局について、無線接続の開放処理を行なう開放手段と、
を備えたことを特徴とする無線通信システム。
【請求項２】
前記識別子付与手段は、前記無線接続の開放を要するイベントが発生する毎に、複数の移動局に対して前記グループ識別子を付与することを特徴とする請求項１に記載の無線通信システム。
【請求項３】
前記識別子付与手段は、コアネットワークからノードリセットを受信した際に、複数の移動局に対して前記グループ識別子を付与することを特徴とする請求項１に記載の無線通信システム。
【請求項４】
前記識別子付与手段は、前記グループ識別子を、無線リソース制御用の下りメッセージによって、前記移動局に通知することを特徴とする請求項１乃至３の何れか１項に記載の無線通信システム。
【請求項５】
前記開放指示手段は、
前記グループ識別子で識別された複数の移動局の全てについての無線接続を開放する場合に、前記グループ識別子を指定することを特徴とする請求項１乃至４の何れか１項に記載の無線通信システム。
【請求項６】
前記開放指示手段によって指定された前記グループ識別子を有する前記移動局は、基地局に対して、前記移動局の識別子を通知することを特徴とする請求項１乃至５の何れか１項に記載の無線通信システム。
【請求項７】
前記基地局は、前記識別子を通知してきた前記移動局についての無線接続を開放することを特徴とする請求項６に記載の無線通信システム。
【請求項８】
移動局、及び、前記移動局と無線通信する基地局を有する無線通信システムの制御方法であって、
複数の移動局に同じグループ識別子を付与するステップと、
前記グループ識別子を指定して、無線接続の開放を指示するステップと、
指定された前記グループ識別子を有する前記移動局において、無線接続の開放処理を行なうステップと、
を含むことを特徴とする無線通信システムの制御方法。
【請求項９】
移動局と無線通信する基地局であって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局に対する無線接続の開放処理を行なう開放手段と、
を備えたことを特徴とする基地局。
【請求項１０】
移動局と無線通信する基地局の制御方法であって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
を含むことを特徴とする基地局の制御方法。
【請求項１１】
移動局と無線通信する基地局の制御プログラムが格納された非一時的なコンピュータ可読媒体であって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
をコンピュータに実行させることを特徴とする基地局の制御プログラムが格納された非一時的なコンピュータ可読媒体。
【発明の詳細な説明】
【技術分野】
【０００１】
本発明は、基地局と移動局との間で行なわれる無線通信技術に関する。
【背景技術】
【０００２】
現在、３ＧＰＰの標準化においてＬＴＥ（Long Term Evolution）の検討が行われている（非特許文献１〜３）。ＬＴＥでの制御機能部／ユーザデータ転送部は、ＭＭＥ（Mobility Management Entity）／Ｓ−ＧＷ（Serving Gateway）と定義されている。また、基地局と制御機能部／ユーザデータ転送部との間のインターフェースはＳ１、基地局間のインターフェースはＸ２、基地局と移動局との間のインターフェースはＵｕと定義されている。【０００３】
また、特許文献１では総括的解放メッセージをＰＣＨやＣＣＣＨで送信する記載となっており、別のアーキテクチャ(例えばＬＴＥ)でも同様に実施可能であることに言及している。
【先行技術文献】
【特許文献】
【０００４】
【特許文献１】米国特許出願０９／８５２９１５号公報
【非特許文献】
【０００５】
【非特許文献１】E-UTRA and E-UTRAN; Overall description [3GPP TS 36.300 V9.4.0 (2010-6)]
【非特許文献２】E-UTRA RRC Protocol specification[3GGP TS 36.331 V9.3.0 (201    0-06)]
【非特許文献３】E-UTRAN S1 Application Protocol [3GPP TS 36.413 V9.3.0(2010-    06)]
【発明の概要】
【発明が解決しようとする課題】
【０００６】
しかしながら、上記従来技術では、基地局は、コアネットワークからノードリセットを受信すると、対象となる移動局の数だけ無線接続制御用接続開放通知（ＲＲＣ（Radio Resource Control） connection release)を送信する必要があった。対象となる移動局が多い場合、基地局は無線リソースを効率的に利用できないことがあった。【０００７】
また、特許文献１では総括的解放メッセージを移動局が受信成功できたか否かを確認することができず、移動局が必ず総括的解放メッセージの受信が成功するという前提で総括的解放メッセージを送信した後に呼を解放している。これでは、移動局側とＮＷ側で状態が不一致となる可能性があった。【０００８】
本発明の目的は、上述の課題を解決する技術を提供することにある。
【課題を解決するための手段】
【０００９】
上記目的を達成するため、本発明に係るシステムは、
移動局、及び、前記移動局と無線通信する基地局を有する無線通信システムであって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局について、無線接続の開放処理を行なう開放手段と、
を備えたことを特徴とする。【００１０】
上記目的を達成するため、本発明に係る方法は、
移動局、及び、前記移動局と無線通信する基地局を有する無線通信システムの制御方法であって、
複数の移動局に同じグループ識別子を付与するステップと、
前記グループ識別子を指定して、無線接続の開放を指示するステップと、
指定された前記グループ識別子を有する前記移動局において、無線接続の開放処理を行なうステップと、
を含むことを特徴とする。【００１１】
上記目的を達成するため、本発明に係る装置は、
移動局と無線通信する基地局であって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局に対する無線接続の開放処理を行なう開放手段と、
を備えたことを特徴とする。【００１２】
上記目的を達成するため、本発明に係る制御方法は、
移動局と無線通信する基地局の制御方法であって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
を含むことを特徴とする。【００１３】
上記目的を達成するため、本発明に係るコンピュータ可読媒体は、
移動局と無線通信する基地局の制御プログラムが格納された非一時的なコンピュータ可読媒体であって、
前記制御プログラムは、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
をコンピュータに実行させることを特徴とする。
【発明の効果】
【００１４】
本発明によれば、無線リソースを効率的に利用しつつ、移動局に対する無線接続開放処理を行なうことができる。
【図面の簡単な説明】
【００１５】
【図１】本発明の第１実施形態に係る無線通信システムの構成を示すブロック図である。
【図２】本発明の第２実施形態に係る無線通信システムの構成を示すブロック図である。
【図３】本発明の第２実施形態に係る移動局の構成を示すブロック図である。
【図４】本発明の第２実施形態に係る基地局の構成を示すブロック図である。
【図５】本発明の第２実施形態に係る移動管理装置の構成を示すブロック図である。
【図６】本発明の第２実施形態に係る無線通信システムの前提となる動作について説明するシーケンス図である。
【図７】本発明の第２実施形態に係る無線通信システムの前提となる動作について説明するシーケンス図である。
【図８】本発明の第２実施形態に係る無線通信システムの動作について説明するシーケンス図である。
【図９】本発明の第２実施形態に係る移動管理装置のＩＤとグループＩＤのマッピングテーブルを示す図である。
【図１０】本発明の第２実施形態に係る無線通信システムの動作について説明するシーケンス図である。
【図１１】本発明の前提としての無線通信システムの動作について説明するシーケンス図である。
【発明を実施するための形態】
【００１６】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１７】
（第１実施形態）
本発明の第１実施形態としての無線通信システム１００について、図１を用いて説明する。図１に示すように、無線通信システム１００は、移動局１０１、及び、移動局１０１と無線通信する基地局１０２を含む。また、無線通信システム１００は、グループ識別子付与部１０３と、開放指示部１０４と、接続開放部１０５とを備える。グループ識別子付与部１０３は、複数の移動局１０１に同じグループ識別子を付与する。また、開放指示部１０４は、グループ識別子を指定して、無線接続の開放を指示する。接続開放部１０５は、開放指示部１０４によって指定されたグループ識別子を有する移動局１０１について、無線接続の開放処理を行なう。
【００１８】
（第２実施形態）
本発明の第２実施形態について図２乃至図１０を参照して詳細に説明する。本実施形態は、無線アクセスネットワークを動作させる方法に関し、そのネットワークでは、総括的解放メッセージとして知られる単一の解放メッセージを用いて複数の無線接続が解放される。本実施形態を別の側面から見ると、無線アクセスネットワークとその制御ノードに関し、その制御ノードでは総括的解放メッセージを用いて複数の無線接続を解放する。無線アクセスネットワークから送信された総括的解放メッセージを認識する移動端末は、そのメッセージに応答して無線接続を解放する。以下の実施形態では、総括的解放メッセージは、ＣＥＬＬ＿ＦＡＣＨ状態における共通制御チャネル（ＣＣＣＨ）か、或いは呼出チャネル（ＰＣＨ）において送信される。
【００１９】
本実施形態においては、特定のアーキテクチュア、インタフェース、技術などの具体的な詳細が説明される。しかしながら、本発明はこれらの具体的な詳細を離れた別の実施形態において実施されても良い。以下の説明中、機能ブロックについて、いくつかの図面で示されている。それらの機能は、個々のハードウェア回路を用いてもよいし、適切にプログラムされたデジタル・マイクロプロセッサ或いは汎用コントローラと関連したソフトウェア機能を用いてもよい。または、アプリケーション専用集積回路（ＡＳＩＣ）を用いてもよいし、或いは、１つ以上のデジタル信号プロセッサ（ＤＳＰ）を用いてもよい。
【００２０】
図２は、本実施の形態としてのシステムの構成を示すブロック図である。図２に示すように、本システムは、移動局（ＵＥ）２０１、基地局（ｅＮＢ）２０２、及び移動管理装置（ＭＭＥ）２０３を含む。
【００２１】
〈構成〉
図３、図４、及び図５は、移動局２０１、基地局２０２、移動管理装置２０３のノードの構成の詳細が示されている。
【００２２】
図３は、移動局（ＵＥ）２０１の内部構成を示すブロック図である。図３に示すように、移動局２０１はＲＲＣレイヤ３０１と制御部３０２と伝送部（Ｕｕ）３０３とを含む。図３のＲＲＣレイヤ３０１は、ＲＲＣメッセージの解読とメッセージの生成処理を実施する。制御部３０２はＲＲＣレイヤ３０１からＲＲＣメッセージの解読結果を受けて必要な処理を実施し、ＲＲＣレイヤへメッセージの生成を指示する。伝送部（Ｕｕ）３０３は、Ｕｕインターフェースへメッセージを送信／受信する機能を持つ。
【００２３】
図４は、基地局（ｅＮＢ）２０２の内部構成を示すブロック図である。図４に示すように、基地局２０２は、互いに接続された伝送部（Ｓ１）４０１と、Ｓ１−ＡＰレイヤ４０２とを含む。また、基地局２０２は、互いに接続された、ＲＲＣレイヤ４０３と伝送部（Ｕｕ）４０４とを含む。更に基地局２０２は、Ｓ１−ＡＰレイヤ４０２とＲＲＣレイヤ４０３とを制御する制御部４０５を含む。
【００２４】
図４で示されたＲＲＣレイヤ４０３、及び伝送部（Ｕｕ）４０４は図３のＲＲＣレイヤ３０１及び伝送部（Ｕｕ）３０３と同様の機能を有する。Ｓ１−ＡＰレイヤ４０２はＳ１−ＡＰメッセージの解読とメッセージの生成処理を実施する。制御部４０５はＲＲＣレイヤ４０３、若しくはＳ１−ＡＰレイヤ４０２からＲＲＣメッセージ、若しくはＳ１−ＡＰメッセージの解読結果を受けて必要な処理を実施し、ＲＲＣレイヤ４０３、若しくはＳ１−ＡＰレイヤ４０２へメッセージの生成を指示する。伝送部（Ｓ１）４０１は、Ｓ１インターフェースへメッセージを送信／受信する機能を持つ。
【００２５】
図５は、移動管理装置（ＭＭＥ）２０３の内部構成を示すブロック図である。図４に示すように移動管理装置２０３は、Ｓ１−ＡＰレイヤ５０１と伝送部（Ｓ１）５０２と制御部５０３とを含む。図５で示されたＳ１−ＡＰレイヤ５０１、及び伝送部（Ｓ１）５０２は図４のＳ１−ＡＰレイヤ４０２、及び伝送部（Ｓ１）４０１と同様の機能を持つ。制御部５０３ではＳ１−ＡＰレイヤ５０１からＳ１−ＡＰメッセージの解読結果を受けて必要な処理を実施し、Ｓ１−ＡＰレイヤ５０１へメッセージの生成を指示する。
【００２６】
〈動作〉
図６、図７は、本システムの前提となる動作について説明するシーケンス図である。
【００２７】
まず、図６のステップＳ６０１において、移動局２０１と基地局２０２との間で接続が確立され、その後、ステップＳ６０２において、移動局２０１と移動管理装置２０３との間で接続（U-Plane）が導通する。その後、接続を開放する場合には、図７のステップＳ７０１に示すように基地局２０２が接続開放指示（RRC Connection Release）を移動局２０１に通知し、移動局２０１は、開放処理を行ないつつ、その確認通知（Acknowledge）を基地局２０２に返す。
【００２８】
図８は、本システムの動作について説明するシーケンス図である。図８において、基地局が移動局とのＥ−ＲＡＢ確立を含むＳ１接続を確立する際、Ｓ１接続を確立する移動管理装置２０３のグループＩＤ（グループ識別子）を移動局２０１へ割り当てる手順が示されている。図９は移動管理装置２０３のＩＤとグループＩＤのマッピングテーブルを示す図である。
【００２９】
ステップＳ６０１において、基地局２０２は、図６で説明したように、発着信をトリガとして、移動局２０１とＲＲＣ接続を確立する。
【００３０】
次に、ステップＳ８０２において、基地局２０２は、移動管理装置２０３を選択する際、選択した移動管理装置２０３に該当するグループＩＤを図９のマッピングテーブル９００に基づいて払い出し、基地局２０２内において移動局情報の一部として記憶する。その後、ステップＳ８０３において、基地局２０２は、選択した移動管理装置２０３へイニシャル移動局メッセージを送信し、移動管理装置２０３はそれに応答して、イニシャル情報セットアップリクエストを基地局２０２に通知する。
【００３１】
次に、ステップＳ６０２において、基地局２０２は、図６で説明したように、ＲＲＣ：セキュリティーモードコマンド送信処理、ＲＲＣ：セキュリティモードコンプリート受信処理を実施する。
【００３２】
ステップＳ８０６において、基地局は、移動局へ通知する無線リソース制御用メッセージ、例えばＲＲＣ接続再設定通知（Connection Reconfiguration）で移動管理装置２０３のグループＩＤを移動局へ通知する。
【００３３】
次に、ステップＳ８０７において、移動局２０１は、基地局２０２から通知された移動管理装置２０３のグループＩＤを記憶する。
【００３４】
ステップＳ８０８において、基地局２０２は、移動局２０１からＲＲＣ接続再設定完了通知(Connection Reconfiguration Complete)を受信し、更にステップＳ８０９において、その受信を契機に移動管理装置２０３へＳ１−ＡＰ：イニシャル情報設定応答（Initial Context Setup Response）を送信する。
【００３５】
図１０は、移動管理装置２０３のグループＩＤ：１に該当する移動管理装置２０３からのノードリセットを受信した場合、報知情報によりＲＲＣ接続を解放する手順を示す。
【００３６】
ステップＳ１００１において、基地局２０２は、移動管理装置２０３のグループＩＤ：１に該当する移動管理装置２０３からのノードリセットを受信後、ステップＳ１００２において、報知情報へＲＲＣ接続解放対象のグループＩＤを設定し送信する。
【００３７】
次に、ステップＳ１００３において、ＲＲＣ接続確立中の移動局２０１は、報知情報を受信した際、保持しているグループＩＤと報知情報で通知されたグループＩＤを比較する。一致した場合、ステップＳ１００４において、移動局ＩＤを含む通知（Acknowledge）を基地局２０２へ送る。この通知はＲＲＣより下層のレイヤで実現可能である。
【００３８】
更にステップＳ１００５において、移動局２０１は、保持しているグループＩＤと報知情報で通知されたグループＩＤとが一致した場合に、ＲＲＣ接続を開放する。
【００３９】
一方、基地局２０２は、ステップＳ１００６において、移動局ＩＤを含む通知（Acknowledge）を受信した場合、受信した通知（Acknowledge）に含まれた移動局ＩＤに対応する移動局２０１のＲＲＣ接続を解放する。一定期間後においても、移動局２０１から移動局ＩＤを含む通知（Acknowledge）を得られない場合、ＲＲＣ接続開放通知を移動局２０１へ送信することでＲＲＣ接続を解放する。
【００４０】
次に、ステップＳ１００７において、基地局２０２は、全ての移動局のＲＲＣ接続解放が完了したタイミングで、グループＩＤの設定を削除した報知情報へ変更する。そして、ステップＳ１００８において、変更した報知情報を移動局２０１に送信し、ステップＳ１００９においてノードリセットの確認通知（acknowledge）を移動管理装置２０３に返す。
【００４１】
本実施形態によれば、報知情報にグループＩＤを設定することでＲＲＣ：ＲＲＣ接続開放通知の送信が不要となる。前提シーケンス（図１１）では、ステップＳ１１０１において、ＲＲＣ接続を解放する移動局数分、ＲＲＣ：ＲＲＣ接続開放通知を送信する必要があるが、その分の通信リソースを節約できる。また、報知情報は常に無線上へ送出される無線リソース制御用メッセージであり、またグループＩＤは１Ｂｙｔｅ程度のサイズで十分であるため報知情報のサイズの増加により無線リソースを占有する割合は少ない。従って無線利用効率を向上することができる。なお、本実施形態では、コアネットワークからノードリセット要求を受信した場合の通信開放処理について説明したが、本発明はこれに限定されるものではなく、無線接続の開放を要するあらゆるイベントが発生した場合に対応可能である。
【００４２】
（第３実施形態）
上記第２実施形態では、図１０で移動局２０１から通知（Acknowledge送信）する方法を提案したが、本実施形態では、移動局２０１から通知（Acknowledge）を送信しない。図１０のステップＳ１００１からステップＳ１００９までの間に、報知情報を受信できなかった移動局２０１が無線リソース制御用メッセージを基地局２０２へ送信する可能性がある。無線リソース制御用メッセージを基地局２０２が受信した場合、報知情報を受信できていない可能性があるため、図７のステップＳ７０１のようにＲＲＣ接続開放通知を移動局へ送信することでＲＲＣ接続を解放する。ステップＳ１００９の後に無線リソース制御用メッセージを基地局２０２が受信した場合、報知情報を受信できていないため、一定期間グループＩＤに該当する移動局２０１の移動局情報を基地局２０２内のメモリに記憶する。そして、その移動局２０１に対する無線リソース制御用メッセージを基地局２０２が受信した場合、図７のステップＳ７０１のようにＲＲＣ接続開放を移動局へ送信することでＲＲＣ接続を解放する。例えば、タイマで一定期間経過を監視し、その経過後に、グループＩＤの設定を削除した報知情報へ変更し、送信すればよい。
【００４３】
このようにすれば、コアネットワークからノードリセットを受信した際に、無線リソースを効率的に利用しつつ、移動局に対する無線接続開放処理を行なうことができる。
【００４４】
なお、図８においては、発着信をトリガに移動管理装置２０３のグループＩＤを移動局２０１へ割り当てる手順を示した。しかし、ハンドオーバや再接続の際にＳ１接続設定先の移動管理装置２０３が変わる場合があるため、変更が生じた場合、無線リソース制御用メッセージにより、移動局２０１へグループＩＤの変更を通知する必要がある。
【００４５】
（他の実施形態）
以上、本発明の実施形態について詳述したが、それぞれの実施形態に含まれる別々の特徴を如何様に組み合わせたシステム又は装置も、本発明の範疇に含まれる。
【００４６】
また、本発明は、複数の機器から構成されるシステムに適用されても良いし、単体の装置に適用されても良い。さらに、本発明は、実施形態の機能を実現する情報処理プログラムが、システム或いは装置に直接或いは遠隔から供給される場合にも適用可能である。したがって、本発明の機能をコンピュータで実現するために、コンピュータにインストールされるプログラム、或いはそのプログラムを格納した媒体、そのプログラムをダウンロードさせるＷＷＷ(World Wide Web)サーバも、本発明の範疇に含まれる。
【００４７】
［実施形態の他の表現］
上記の実施形態の一部又は全部は、以下の付記のようにも記載されうるが、以下には限られない。
【００４８】
（付記１）
移動局、及び、前記移動局と無線通信する基地局を有する無線通信システムであって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局について、無線接続の開放処理を行なう開放手段と、
を備えたことを特徴とする無線通信システム。
（付記２）
前記識別子付与手段は、前記無線接続の開放を要するイベントが発生する毎に、複数の移動局に対して前記グループ識別子を付与することを特徴とする付記１に記載の無線通信システム。
（付記３）
前記識別子付与手段は、コアネットワークからノードリセットを受信した際に、複数の移動局に対して前記グループ識別子を付与することを特徴とする付記１に記載の無線通信システム。
（付記４）
前記識別子付与手段は、前記グループ識別子を、無線リソース制御用の下りメッセージによって、前記移動局に通知することを特徴とする付記１乃至３の何れかに記載の無線通信システム。
（付記５）
前記開放指示手段は、
前記グループ識別子で識別された複数の移動局の全てについての無線接続を開放する場合に、前記グループ識別子を指定することを特徴とする付記１乃至４の何れかに記載の無線通信システム。
（付記６）
前記開放指示手段によって指定された前記グループ識別子を有する前記移動局は、基地局に対して、前記移動局の識別子を通知することを特徴とする付記１乃至５の何れかに記載の無線通信システム。
（付記７）
前記基地局は、前記識別子を通知してきた前記移動局についての無線接続を開放することを特徴とする付記６に記載の無線通信システム。
（付記８）
移動局、及び、前記移動局と無線通信する基地局を有する無線通信システムの制御方法であって、
複数の移動局に同じグループ識別子を付与するステップと、
前記グループ識別子を指定して、無線接続の開放を指示するステップと、
指定された前記グループ識別子を有する前記移動局において、無線接続の開放処理を行なうステップと、
を含むことを特徴とする無線通信システムの制御方法。
（付記９）
移動局と無線通信する基地局であって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局に対する無線接続の開放処理を行なう開放手段と、
を備えたことを特徴とする基地局。
（付記１０）
移動局と無線通信する基地局の制御方法であって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
を含むことを特徴とする基地局の制御方法。
（付記１１）
移動局と無線通信する基地局の制御プログラムが格納された非一時的なコンピュータ可読媒体であって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
をコンピュータに実行させることを特徴とする基地局の制御プログラムが格納された非一時的なコンピュータ可読媒体。
【００４９】
なお、本発明の各機能は、ハードウェアの構成を用いて実現される場合に限定されるものではなく、任意の処理を、ＣＰＵ（Central Processing Unit）にコンピュータプログラムを実行させることにより実現することも可能である。
【００５０】
なお、上記プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５１】
この出願は、２０１０年１０月２１日に出願された日本出願特願２０１０−２３６１７７を基礎とする優先権を主張し、その開示の全てをここに取り込む。
【産業上の利用可能性】
【００５２】
本発明は、ＬＴＥ（Long Term Evolution）をはじめとする様々な移動体通信システムに適用することができる。
【符号の説明】
【００５３】
２０１  移動局
２０２  基地局
２０３  移動管理装置
【図１】
2012053154.tif 000003
【図２】
2012053154.tif 000004
【図３】
2012053154.tif 000005
【図４】
2012053154.tif 000006
【図５】
2012053154.tif 000007
【図６】
2012053154.tif 000008
【図７】
2012053154.tif 000009
【図８】
2012053154.tif 000010
【図９】
2012053154.tif 000011
【図１０】
2012053154.tif 000012
【図１１】
2012053154.tif 000013
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
移動局、及び、前記移動局と無線通信する基地局を有する無線通信システムであって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局について、無線接続の開放処理を行なう開放手段と、
を備えたことを特徴とする無線通信システム。
【請求項２】
前記識別子付与手段は、前記無線接続の開放を要するイベントが発生する毎に、複数の移動局に対して前記グループ識別子を付与することを特徴とする請求項１に記載の無線通信システム。
【請求項３】
前記識別子付与手段は、コアネットワークからノードリセットを受信した際に、複数の移動局に対して前記グループ識別子を付与することを特徴とする請求項１に記載の無線通信システム。
【請求項４】
前記識別子付与手段は、前記グループ識別子を、無線リソース制御用の下りメッセージによって、前記移動局に通知することを特徴とする請求項１乃至３の何れか１項に記載の無線通信システム。
【請求項５】
前記開放指示手段は、
前記グループ識別子で識別された複数の移動局の全てについての無線接続を開放する場合に、前記グループ識別子を指定することを特徴とする請求項１乃至４の何れか１項に記載の無線通信システム。
【請求項６】
前記開放指示手段によって指定された前記グループ識別子を有する前記移動局は、基地局に対して、前記移動局の識別子を通知することを特徴とする請求項１乃至５の何れか１項に記載の無線通信システム。
【請求項７】
移動局、及び、前記移動局と無線通信する基地局を有する無線通信システムの制御方法であって、
複数の移動局に同じグループ識別子を付与するステップと、
前記グループ識別子を指定して、無線接続の開放を指示するステップと、
指定された前記グループ識別子を有する前記移動局において、無線接続の開放処理を行なうステップと、
を含むことを特徴とする無線通信システムの制御方法。
【請求項８】
移動局と無線通信する基地局であって、
複数の移動局に同じグループ識別子を付与する識別子付与手段と、
前記グループ識別子を指定して、無線接続の開放を指示する開放指示手段と、
前記開放指示手段によって指定された前記グループ識別子を有する前記移動局に対する無線接続の開放処理を行なう開放手段と、
を備えたことを特徴とする基地局。
【請求項９】
移動局と無線通信する基地局の制御方法であって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
を含むことを特徴とする基地局の制御方法。
【請求項１０】
移動局と無線通信する基地局の制御プログラムであって、
複数の移動局に同じグループ識別子を付与するステップと、
前記グループ識別子を指定して、無線接続の開放を指示するステップと、
指定された前記グループ識別子を有する前記移動局に対する無線接続の開放処理を行なうステップと、
をコンピュータに実行させることを特徴とする基地局の制御プログラム。
【国際調査報告】
2012053154.tif 000014
2012053154.tif 000015